(57)【要約】【課題】  注ぎ口の開封や内容物の絞り出しの際の各種トラブルの恐れの無い便利な密封パッケージを提供する。【解決手段】  パッケ−ジ本体が任意の平面形状を持つ袋状に構成され、その袋状部に液体又は流動体を収容すると共に、この袋状部とは外部構造上独立して、袋状部と空間的に連通すると共に先端が封止された細い通液路である注ぎ口を設け、この注ぎ口に開封用のスリットを形成した密封パッケ−ジ。【選択図】          図２   
2005280748.tif 000002
【特許請求の範囲】
【請求項１】
パッケ−ジ本体が任意の平面形状を持つ袋状に構成され、その袋状部に液体又は流動体を収容すると共に、この袋状部とは外部構造上独立して、袋状部と空間的に連通すると共に先端が封止された細い通液路である注ぎ口を設け、この注ぎ口に開封用のスリットを形成したことを特徴とする密封パッケ−ジ。
【請求項２】
前記注ぎ口におけるスリットよりも先端側の部分には、横に突出する摘まみ用の取っ手を設けたことを特徴とする請求項１に記載の密封パッケ−ジ
【請求項３】
前記注ぎ口がパッケ−ジ本体の平面形状の輪郭線内に収まる形で形成されていることを特徴とする請求項１又は請求項２に記載の密封パッケ−ジ。
【請求項４】
前記スリットが、注ぎ口の先端側へ向かう斜め方向に形成されていることを特徴とする請求項１〜請求項３のいずれかに記載の密封パッケ−ジ。
【請求項５】
前記注ぎ口におけるスリットが、注ぎ口の基端から、少なくとも指の押さえ幅を隔てて形成されていることを特徴とする請求項１〜請求項４のいずれかに記載の密封パッケ−ジ。
【発明の詳細な説明】
【技術分野】
【０００１】
本発明は、密封パッケージに関する。さらに詳しくは、本発明は、少量の醤油、ドレッシング、シャンプー等の液体又は流動体を収容した使い切り用パッケージや、又はこれらの液体又は流動体を多量に収容した詰め替え用パッケージ等に有用に利用することができる密封パッケージに関する。
【背景技術】
【０００２】
例えば図１に示す小さなサイズの使い切り用パッケージの場合のように、従来のこの種の密封パッケージ１は、四角形等の任意の平面形状を持つ袋状に構成されていた。より具体的に説明すると、密封パッケージ１は、１対の樹脂フィルム２をシール部３（図１においてハッチングで示す部分）において貼り合わせた袋状の構成を持ち、その袋状部４に内容物たる液体又は流動体を収容していた。又、袋状部４の任意の部分からは、袋状部４と連通されると共に先端が封止された細い通液路である注ぎ口５を設け、この注ぎ口５には開封用の切り込みであるスリット６を横方向に設けていた。
【０００３】
そして密封パッケージ１を使用する場合（内容物を絞り出す場合）は、スリット６を切り広げて注ぎ口５を開封させ、この開封部から内容物を絞り出して小皿や料理等に注いでいた。
【発明の開示】
【発明が解決しようとする課題】
【０００４】
しかし図１に示す従来技術では、注ぎ口５が、通液路としては袋状部４から独立しているが、外部構造としては、シール部３の存在により、袋状部４と一体的に繋がる構造であって、独立していなかった。そのため、スリット６を切り広げて注ぎ口５を開封させようとした時、スリット６の切り口が袋状部４まで到ってしまい、内容物が注ぎ口５の他に、袋状部４の開裂部分からも絞り出されて、内容物を小皿や料理等以外の部分にこぼしてしまう場合があった。
【０００５】
又、スリット６を切り広げた場合、その開封部の断片は密封パッケージ１から切り離してしまわないと、注ぎ口５からの内容物の絞り出しがうまく行かない。そのためには、注ぎ口５に隣接する部分のシール部３まで切り広げる必要があるが、一般的にシール部３は切り裂き抵抗が強いため、このような切り開き操作が難しくなると言う問題もあった。
【０００６】
更に、スリット６が注ぎ口５に対して横方向に設けられているため、上記した「スリット６の切り口が袋状部４まで到ってしまう」と言う問題や、「スリット６の切り開き操作が難しくなる」と言う問題を一層増長していた。以上の種々の問題は、密封パッケージが、液体又は流動体を多量に収容した比較的大きなサイズの詰め替え用パッケージ等である場合にも、共通していた。
【０００７】
そこで本発明は、従来技術における上記の諸問題を解消することを、解決すべき技術的課題とする。
【課題を解決するための手段】
【０００８】
（第１発明の構成）
上記課題を解決するための本願第１発明の構成は、パッケ−ジ本体が任意の平面形状を持つ袋状に構成され、その袋状部に液体又は流動体を収容すると共に、この袋状部とは外部構造上独立して、袋状部と空間的に連通すると共に先端が封止された細い通液路である注ぎ口を設け、この注ぎ口に開封用のスリットを形成した、密封パッケ−ジである。
【０００９】
（第２発明の構成）
上記課題を解決するための本願第２発明の構成は、前記第１発明に係る注ぎ口におけるスリットよりも先端側の部分には、横に突出する摘まみ用の取っ手を設けた、密封パッケ−ジである。
【００１０】
（第３発明の構成）
上記課題を解決するための本願第３発明の構成は、前記第１発明又は第２発明のいずれかに係る注ぎ口がパッケ−ジ本体の平面形状の輪郭線内に収まる形で形成されている、密封パッケ−ジである。
【００１１】
（第４発明の構成）
上記課題を解決するための本願第４発明の構成は、前記第１発明〜第３発明のいずれかに係る開封用スリットが注ぎ口の先端側へ向かう斜め方向に形成されている、密封パッケ−ジである。
【００１２】
（第５発明の構成）
上記課題を解決するための本願第５発明の構成は、前記第１発明〜第４発明のいずれかに係る注ぎ口におけるスリットが、注ぎ口の基端から、少なくとも指の押さえ幅を隔てて形成されている、密封パッケ−ジである。
【発明の効果】
【００１３】
（第１発明の効果）
第１発明の密封パッケ−ジにおいては、注ぎ口が袋状部とは外部構造上独立しているので、開封用のスリットを切り広げて注ぎ口５を開封させようとする際、スリットの切り口が袋状部まで到る恐れがない。そのため、前記した従来技術のように、内容物が注ぎ口の他に、袋状部の開裂部分からも絞り出されて、内容物を小皿や料理等以外の部分にこぼしてしまう恐れがない。
【００１４】
又、スリットを切り広げる場合、注ぎ口が袋状部とは外部構造上独立しているので、その開封部の断片はパッケ−ジ本体から容易に切り離すことができる。その結果、注ぎ口からの内容物の絞り出しが簡単である。
【００１５】
（第２発明の効果）
第２発明の密封パッケ−ジにおいては、注ぎ口におけるスリットよりも先端側の部分に、横に突出する摘まみ用の取っ手を設けたので、指でスリットを切り広げて注ぎ口の先端を切り離すのが、より楽になる。
【００１６】
（第３発明の効果）
第３発明の密封パッケ−ジにおいては、注ぎ口がパッケ−ジ本体の平面形状の輪郭線内に収まる形で形成されている。そのため、密封パッケ−ジの製造・流通段階における取り扱いの際に、注ぎ口や前記の摘まみ用の取っ手が他の物品に引っ掛ったり、他の密封パッケ−ジの注ぎ口や摘まみ用の取っ手に引っ掛ったりして、扱い難くなったり注ぎ口が開封してしまったりすると言うトラブルが起こらない。
【００１７】
（第４発明の効果）
第４発明の密封パッケ−ジにおいては、スリットが、注ぎ口の先端側へ向かう斜め方向に形成されているので、注ぎ口の開封時において注ぎ口を開封するための力を注ぎ口の先端側へ加えることとなり、注ぎ口を一層開封し易くなる。
【００１８】
（第５発明の効果）
第４発明の密封パッケ−ジにおいては、スリットが注ぎ口の基端から少なくとも指の押さえ幅を隔てて形成されているので、注ぎ口の基端を一方の手指で挟んで押さえながら、注ぎ口の先端側部分を他方の手指で把持した引っ張ると言う開封操作が容易にできる。又、その開封操作の際、注ぎ口の通液路は手指で挟んで閉止しているため、注ぎ口から内容物が噴出してしまうと言う不具合を防止することができる。
【発明を実施するための最良の形態】
【００１９】
次に、本願の第１発明〜第５発明の実施形態を、その最良の形態を含めて説明する。以下において単に「本発明」と言うときは、上記の各発明を一括して指している。
【００２０】
〔密封パッケ−ジの形状及び構造〕
本発明の密封パッケ−ジは、そのパッケ−ジ本体が任意の平面形状を持つ袋状に構成されている。パッケ−ジ本体の平面形状としては、正方形や長方形に限らず、円形、楕円形とすることもできるし、デザイン上の観点からアルファベット文字の形状や動物の姿等を真似た形状としても良い。
【００２１】
密封パッケ−ジは、内容物である液体又は流動体を収容した袋状部と、この袋状部とは外部構造上独立して、袋状部と空間的に連通すると共に先端が封止された細い通液路である注ぎ口とを備える。そして注ぎ口には開封用のスリットを形成している。注ぎ口と開封用のスリットについては、後に詳しく述べる。
【００２２】
この密封パッケージは、例えば上記した任意の平面形状を持つ１対の樹脂フィルムを、一定の部分において接着剤により又はヒートシール等の手段で貼り合わせることにより、貼り合わせていない部分によって上記の袋状部と注ぎ口とを形成させている。
【００２３】
〔密封パッケ−ジの用途及びサイズ〕
本発明に係る密封パッケ−ジの用途及びサイズは限定されない。密封パッケ−ジには、醤油、ドレッシング、シャンプー等の任意の種類の液体や流動体を収容することができる。
【００２４】
又、密封パッケ−ジは、比較的少量（例えば、２ｍＬ〜２０ｍＬ程度）の醤油、ドレッシング、シャンプー等を収容した、小さなサイズの使い切り用パッケージとすることができる。これらのサイズの密封パッケ−ジは、例えば回転寿司店で使用する寿司ダレパッケージ、コンビニエンスストアや仕出し弁当屋等で持ち出し用の弁当に添付して使用する醤油、ソース、ドレッシング等のパッケージ、ホテルの洗面室や浴室等に設置するシャンプーパッケージ等の用途がある。
【００２５】
更に、密封パッケ−ジは、比較的多量（例えば、３０ｍＬ〜５００ｍＬ程度）の醤油、ドレッシング、シャンプー等を収容した、大きなサイズの詰め替え用パッケージとすることもできる。これらのサイズの密封パッケ−ジは、一般的には厚肉の樹脂材料をもって比較的堅牢に構成される。
【００２６】
〔注ぎ口〕
注ぎ口は、パッケ−ジ本体の袋状部とは外部構造上独立して、しかも袋状部と空間的に連通する構造をもって形成される。
【００２７】
ここに、「外部構造上独立して」とは、前記の図１に示す従来技術のように、シール部等の存在によって袋状部と一体的に繋がって形成されるのではなく、外観上は袋状部とは分離して独立した形状をもって形成されていることを言う。又、「袋状部と空間的に連通する」とは、袋状部の内部スペースと注ぎ口の内部スペースとが内容物の流通が可能に連絡されていることを言う。
【００２８】
注ぎ口におけるスリットよりも先端側の部分には、注ぎ口の軸方向に対する横方向に突出する摘まみ用の取っ手を設けることが好ましい。この取っ手の形状は限定されないが、手指で摘まみ易い形状とすることが好ましい。
【００２９】
更に、注ぎ口がパッケ−ジ本体の平面形状の輪郭線内に収まる形で形成されていること、換言すれば、パッケ−ジ本体の平面形状の輪郭線内において、その内周部に向けて切り込み部が形成され、その結果として注ぎ口が形成されていると言う構成が好ましい。
【００３０】
〔開封用のスリット〕
注ぎ口には、開封用のスリット（切れ目）を設ける。このスリットは、注ぎ口を構成する周壁部において、注ぎ口の通液路まで切れ込む直前の深さに形成される。従って、スリットを切り広げると、注ぎ口の通液路が外部に対して開放され、密封パッケ−ジの内容物を注ぎ口経由で絞り出すことが可能となる。
【００３１】
スリットは、前記のように注ぎ口に摘まみ用の取っ手を設ける場合には、その取っ手よりも基端側に設けられ、かつ、注ぎ口の軸方向に対するスリットの切れ込み方向は限定されない。但し、スリットは取っ手の下端側の突出方向と一直線上に揃う方向であって、かつ、注ぎ口の先端側へ向かう斜め方向に形成されていることが、より好ましい。更に、注ぎ口におけるスリットが、注ぎ口の基端から、少なくとも指の押さえ幅を隔てて形成されていることが好ましい。
【実施例】
【００３２】
以下に、本発明の実施例を図面に基づいて説明する。本発明の技術的範囲がこれらの実施例によって限定されないことは、もちろんである。
【００３３】
（実施例１）
図２〜図５に示す実施例において、密封パッケージ７は、全体として方形の平面形状を持つ袋状に形成されている。この密封パッケージ７は、１対の樹脂フィルム８をシール部９において接着又はヒートシールにより貼り合わせた袋状の構成を持ち、その袋状部１０に内容物たる液体又は流動体を収容している。
【００３４】
なお、図２は密封パッケージ７の全体の外観を示す斜視図であり、図３〜図５は便宜的に１対の樹脂フィルム８を剥離させた状態において図示（シール部９の部分にハッチングを施している）している。
【００３５】
又、袋状部１０からは、袋状部１０と連通されると共に先端が封止された細い通液路である注ぎ口１１を設けている。この注ぎ口１１には開封用の切り込みであるスリット１２を、注ぎ口の先端側へ向かう斜め方向に形成している。更に、注ぎ口１１におけるスリット１２のすぐ先端側の部分には、横に突出する摘まみ用の取っ手１３を設けている。
【００３６】
このような注ぎ口１１は、図４に拡大して示すように、密封パッケージ７において周縁部から内周方向へ向かって凹み１４が形成されることにより、結果的に形成されたものである。従って、注ぎ口１１は、袋状部１０と連通されると共に、外部構造上は袋状部１０から独立した構成である。しかも注ぎ口１１が密封パッケージ７の平面形状の輪郭線内に収まる形で形成されていることになる。
【００３７】
注ぎ口１１において、その基端から開封用スリット１２までの間隔は、指で押さえることができる長さがある。
【００３８】
なお、図２において袋状部１０は密封パッケージ７の上端部まで達しているが、図２の想像線（２点鎖線）で示すように、袋状部１０が注ぎ口１１の基端部まで達する構成とし、その上側の部分は全てシール部９としても良い。
【００３９】
（実施例１の作用・効果）
以上のように構成された実施例１の密封パッケージ７においては、注ぎ口１１は、袋状部１０から外部構成上は独立しているので、開封用スリット１２を切り広げて注ぎ口１１を開封するときに、注ぎ口１１以外の部分を切ってしまう恐れはない。又、注ぎ口１１は開封できたが、切り広げた部分が密封パッケージ７から上手く切り離せずに残ってしまい、内容物を絞り出す際の邪魔になったりする、等のトラブルが無い。
【００４０】
更に、内容物を容器等に注ぐ時、注ぎ口１１が袋状部１０から外部構成上は独立しているので、この注ぎ口１１を容器の開口部に差し入れて注ぐことができる。従って、容器の開口部が小さい物であっても、内容物を外部に漏らさずに注ぐことが出来る。
【００４１】
又、注ぎ口１１の基端から注ぎ口１１の開封部（スリット１２の切り込み部）までが指で押さえられる長さを持っているので、注ぎ口１１の開封時に、注ぎ口１１を手指で挟んで押さえることにより、中身が飛び散る事が無い。
【００４２】
一方、開封用のスリット１２と取っ手１３の下端部の形状とが、注ぎ口１１の先端側へ向かう斜め方向に形成されているため、注ぎ口１１の開封の際、密封パッケージ７を押さえる力と、取っ手１３を引っ張る力を互いに逆に加えることができるので、従来の密封パッケージより少ない力で開封することが出来る。
【００４３】
更に、注ぎ口１１が、凹み１４の形成によって、密封パッケ−ジ７の平面形状の輪郭線内に収まる形で形成されていることにより、取っ手１３が他の物品に引っ掛ったり、他の密封パッケ−ジ７の注ぎ口１１や摘まみ用の取っ手１３に引っ掛ったりして、注ぎ口１１が誤って開封してしまうと言うトラブルもない。
【００４４】
（実施例２）
図６に示す実施例２に係る密封パッケ−ジ１５においては、注ぎ口１６が密封パッケージ７の平面形状の輪郭線内から突出した状態で形成されている。その他の点は前記した実施例１と同様の構成であり、従って、構成が共通する範囲において実施例１と同様の作用・効果を期待できる。
【００４５】
（実施例３）
図７に示す実施例３に係る密封パッケ−ジ１７においては、注ぎ口１８が密封パッケージ１７の平面形状の輪郭線内から突出した状態で形成され、かつ、その注ぎ口１８には摘まみ用の取っ手を設けていない。注ぎ口１８に設けたスリット１９は、注ぎ口１８の軸方向に対して横方向である。その他の点は前記した実施例１と同様の構成であり、従って、構成が共通する範囲において実施例１と同様の作用・効果を期待できる。
【産業上の利用可能性】
【００４６】
本発明によって、注ぎ口の開封や内容物の絞り出しの際の各種トラブルの恐れの無い便利な密封パッケージが提供される。
【図面の簡単な説明】
【００４７】
【図１】従来技術を示す図である。
【００４８】
【図２】実施例１を示す斜視図である。
【００４９】
【図３】実施例１を示す平面図である。
【００５０】
【図４】図３の部分拡大図である。
【００５１】
【図５】実施例１の使用状態を示す図である。
【００５２】
【図６】実施例２を示す図である。
【００５３】
【図７】実施例３を示す図である。
【符号の説明】
【００５４】
１，７，１５，１７        密封パッケージ
２，８                    樹脂フィルム
３，９，                  シール部
４，１０                  袋状部
５，１１，１６，１８      注ぎ口
６，１２，１９            スリット
１３                      取っ手
１４                      凹み
【図１】
2005280748.tif 000003
【図２】
2005280748.tif 000004
【図３】
2005280748.tif 000005
【図４】
2005280748.tif 000006
【図５】
2005280748.tif 000007
【図６】
2005280748.tif 000008
【図７】
2005280748.tif 000009